【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
第１分解温度、及び吸収水重量と袋重量が少なくとも２：１である吸収比を有する第１材料と、
前記第１分解温度よりも低い第２分解温度を有する第２材料と、
を含む可撓性で弾性的に変形可能な本体、
を含む再利用可能な多目的袋であって、
前記第１材料は前部パネル及び後部パネルを形成し、前記前部パネルは前記後部パネルに隣接して配置されて、それらの間で空洞が定義され、
前記前部パネルの少なくとも一部は前記第２材料によって前記後部パネルの少なくとも一部に結合される、再利用可能な多目的袋。
【請求項２】
請求項１に記載の再利用可能な多目的袋であって、前記第２材料は前記前部パネルの少なくとも一部と前記後部パネルの少なくとも一部との間に配置されて、前記前部パネルと前記後部パネルとをシールする、再利用可能な多目的袋。
【請求項３】
請求項１に記載の再利用可能な多目的袋であって、さらに、上縁部から下縁部に伸びる長手方向軸を含み、該長手方向軸は前記第１材料の機械方向に略平行である、再利用可能な多目的袋。
【請求項４】
請求項１に記載の再利用可能な多目的袋であって、前記第２材料は前記第１材料上で溶融し、かつ硬化することで、前記前部パネルの少なくとも一部と前記後部パネルの少なくとも一部とを結合させる、再利用可能な多目的袋。
【請求項５】
請求項１に記載の再利用可能な多目的袋であって、前記第１材料は不織繊維材料を含む、再利用可能な多目的袋。
【請求項６】
請求項５に記載の再利用可能な多目的袋であって、前記第１材料はポリマー繊維及びパルプ繊維の混合物を含む、再利用可能な多目的袋。
【請求項７】
請求項６に記載の再利用可能な多目的袋であって、前記第１材料中の前記ポリマー繊維と前記パルプ繊維との比率は約５：７である、再利用可能な多目的袋。
【請求項８】
請求項１に記載の再利用可能な多目的袋であって、前記第１材料は１平方メートル当たり少なくとも５０グラムの重量を有する、再利用可能な多目的袋。
【請求項９】
請求項１に記載の再利用可能な多目的袋であって、さらに取っ手を含み、該取っ手は前記前部パネル及び前記後部パネルの少なくとも一方に切り取り特徴部分として形成される、再利用可能な多目的袋。
【請求項１０】
請求項１に記載の再利用可能な多目的袋であって、長手方向に方向付けされた側部継ぎ目に沿った前記前部パネルと前記後部パネルとの連結によって形成される少なくとも１つの側壁をさらに含む、再利用可能な多目的袋。
【請求項１１】
請求項１０に記載の再利用可能な多目的袋であって、さらに取っ手を含み、該取っ手は前記少なくとも１つの側壁を通過する隙間として形成される、再利用可能な多目的袋。
【請求項１２】
請求項１０に記載の再利用可能な多目的袋であって、前記少なくとも１つの側壁を内側に折り畳むことによって形成されるガセットをさらに含み、前記第２材料は前記ガセット内で前記本体の外面に配置されて前記ガセットをシールする、再利用可能な多目的袋。
【請求項１３】
請求項１に記載の再利用可能な多目的袋であって、前記第１材料に適用され、かつオーバープリントワニスで被覆されるインク付けされたデザインをさらに含む、再利用可能な多目的袋。
【請求項１４】
請求項１に記載の再利用可能な多目的袋であって、さらに前記第１材料に適用される抗菌剤を含む、再利用可能な多目的袋。
【請求項１５】
吸収水重量と袋重量が少なくとも２：１である吸収比を有する不織繊維材料から形成された可撓性で弾性的に変形可能な本体であって、
第１上縁部及び第１下縁部を含む前部パネルと、
第２上縁部及び第２下縁部を含む後部パネルと、
前記第１上縁部から前記第１下縁部に伸びる長手方向軸と、を含む本体と、
前記第１上縁部と前記第２上縁部との間の開口部と、
前記本体に配置される取っ手と、
を含む再利用可能な多目的袋であって、
前記前部パネルと前記後部パネルとの間に適用される結合剤によって前記前部パネルは前記後部パネルに連結されて、それらの間で空洞が定義され、前記結合剤は前記不織繊維材料とは異なり、
前記開口部は前記空洞と連通し、
前記不織繊維材料はポリマー繊維及びパルプ繊維の不織混合物を含む、再利用可能な多目的袋。
【請求項１６】
請求項１５に記載の再利用可能な多目的袋であって、前記結合剤は前記不織繊維材料よりも低い分解温度を有し、かつ前記結合剤は前記不織繊維材料上で溶融し、かつ硬化することで、前記前部パネルの少なくとも一部と前記後部パネルの少なくとも一部とを結合させる、再利用可能な多目的袋。
【請求項１７】
請求項１５又は１６に記載の再利用可能な多目的袋であって、前記本体の前記長手方向軸は前記繊維材料の機械方向に略平行である、再利用可能な多目的袋。
【請求項１８】
請求項１５に記載の再利用可能な多目的袋であって、前記取っ手は前記第１上縁部及び前記第２上縁部の少なくとも一方を包含し、かつ前記前部パネルが前記後部パネルと長手方向に連結した所に形成される側壁に配置される、再利用可能な多目的袋。
【請求項１９】
請求項１５又は１６に記載の再利用可能な多目的袋であって、前記長手方向軸に沿った前記前部パネル及び前記後部パネルの連結及び折り畳みによって形成されるガセット側壁をさらに含む、再利用可能な多目的袋。
【請求項２０】
請求項１９に記載の再利用可能な多目的袋であって、前記結合剤は前記本体の外面に適用されて、前記前部パネルの少なくとも一部と前記後部パネルの少なくとも一部とをシールし、かつ前記ガセット側壁を形成する、再利用可能な多目的袋。
【請求項２１】
請求項１６に記載の再利用可能な多目的袋であって、前記袋は、前記不織繊維材料において３センチメートル以上の裂け目が生じることなく、少なくとも２１，８７５フィート（約６６６７．６メートル）の距離にわたって少なくとも２２ポンドの重量を運搬するのに十分な材料強度を有する、再利用可能な多目的袋。
【請求項２２】
不織繊維材料から形成された可撓性で弾性的に変形可能な本体であって、
第１上縁部及び第１下縁部を含む前部パネルと、
第２上縁部及び第２下縁部を含む後部パネルと、
結合剤と、
前記第１上縁部から前記第１下縁部に伸びる長手方向軸と、を含む本体と、
前記第１上縁部と前記第２上縁部との間の開口部と、
前記本体に配置され、かつ前記材料の機械方向に平行に前記長手方向軸に沿って前記第１及び第２の下縁部から離間した取っ手と、
を含む再利用可能な多目的袋であって、
前記前部パネルは前記後部パネルに連結されて、それらの間で空洞が定義され、
前記結合剤は前記前部パネルと前記後部パネルとの間に適用されて、前記前部パネルと前記後部パネルとをシールし、前記結合剤は前記不織繊維材料よりも低い分解温度を有し、
前記開口部は前記空洞と連通し、
前記取っ手は前記第１上縁部及び前記第２上縁部の少なくとも一方を包含し、かつ前記前部パネルが前記後部パネルと長手方向に連結した所に隣接して形成される側壁に配置される、再利用可能な多目的袋。
【請求項２３】
請求項２２に記載の再利用可能な多目的袋であって、前記不織繊維材料は吸収水重量と袋重量が少なくとも２：１である吸収比を有する、再利用可能な多目的袋。
【請求項２４】
請求項２２に記載の再利用可能な多目的袋であって、前記結合剤は前記袋の前記長手方向軸に略平行である長手方向のストリップで前記前部パネルと前記後部パネルとの間に配置されて、側部継ぎ目を形成する、再利用可能な多目的袋。
【請求項２５】
請求項２４に記載の再利用可能な多目的袋であって、前記結合剤は前記袋の前記長手方向軸に略垂直である長手方向のストリップで前記第１上縁部と前記第２上縁部との間に配置される、再利用可能な多目的袋。
【請求項２６】
請求項２５に記載の再利用可能な多目的袋であって、さらに前記本体にガセットを含み、前記結合剤は前記本体の外面に配置されて、前記前部パネルの少なくとも一部と前記後部パネルの少なくとも一部とをシールし、前記ガセットを形成する、再利用可能な多目的袋。
【手続補正２】
【補正対象書類名】明細書
【補正対象項目名】００３１
【補正方法】変更
【補正の内容】
【００３１】
いくつかの実施形態では、プロセスは側部のガセットを形成するステップを含む。図２に示されるように、結合剤２００の個別のストリップ２１１を側壁１３０ａの部分２１２に沿って適用し、かつサブパネル１３２ｂをストリップ２１１に沿ってサブパネル１３２ａとシールすることによって、袋１００にガセットが付与され得る。このように、結合剤２００のストリップ２１１は袋１００の外面２１４に適用されて、ガセットがシールされる。第２のガセットを形成するために、同様のステップが側壁１３０ｂにおいて実施され得る。
【手続補正３】
【補正対象書類名】明細書
【補正対象項目名】００３２
【補正方法】変更
【補正の内容】
【００３２】
図５に示される方法で製造された袋１００では、上縁部１２０及び下縁部１２５は横方向のストリップ２０８によってシール（例えば、ヒートシール又は溶融結合）される。特に、材料２０５の管状構造２１０は、点線Ａで示されるように、横方向のストリップ２０８を横切って（例えば、ギロチンカッターで）切断されることで、複数の袋１００が製造され得る。図示される実施形態では、各横方向のストリップ２０８は、１つの袋１００の上縁部１２０及び隣接する袋１００の下縁部１２５を含む。図示される実施形態では、各機械方向のストリップ２０６は、再利用可能な袋１００の側部継ぎ目１１５を含む。他の実施形態では、各横方向のストリップ２０８は、最終的に袋１００の側部継ぎ目１１５を含む。
【手続補正４】
【補正対象書類名】明細書
【補正対象項目名】００３４
【補正方法】変更
【補正の内容】
【００３４】
結合剤のストリップ２０６、２０８に沿って、前部パネルと後部パネル（例えば、材料２０５の２つの折り畳まれた部分）とを固定（例えば、ヒートシール又は溶融結合）することにより、プロセスは継続し得る。図５ｂに示される方法によって製造された袋２１３では、上縁部２１５及び側部継ぎ目２１７は横方向のストリップ２０８によってシールされる。特に、材料２０５は、線Ｂで示されるように、横方向のストリップ２０８を横切って（例えば、ギロチンカッターで）切断されることで、複数の袋２１３が製造され得る。図示される実施形態では、各横方向のストリップ２０８は最終的に袋２１３の側部継ぎ目を含み、長手方向又は機械方向のストリップ２０６は最終的に上縁部２１５を含み得る。いくつかの実施形態では、プロセスは側部のガセットを形成するステップを含む。
【手続補正５】
【補正対象書類名】明細書
【補正対象項目名】００４９
【補正方法】変更
【補正の内容】
【００４９】
図８は、取っ手を形成する前の製造段階中の再利用可能な袋１００を示している。示されるように、再利用可能な袋１００は本体４５０及び２つの取っ手４５５を含む。図示される実施形態では、本体４５０及び取っ手４５５は材料２０５の連続したシートの一部である。一例では、取っ手４５５は、前部パネル１０５及び後部パネル１１０（図８に示さず）の両方から点線４６５で輪郭が描かれた形状４６０を切り取ることによって形成される。いくつかの実施形態では、取っ手４５５は、前部パネル１０５及び後部パネル１１０が上縁部１２０、側部継ぎ目１１５、並びに／又は下縁部１２５に沿って接合した後に形成される。他の実施形態では、取っ手４５５は製造プロセスの異なる段階で形成され得る。いくつかの実施形態では、再利用可能な袋１００は、取っ手４５５の各々を形成する、側壁１３０ａ、１３０ｂを通過する隙間４７０（図８に示さず）を含む。図１により良く示されるように、各隙間４７０は取っ手４５５の領域内で側壁１３０ａ、１３０ｂに配置され得る。
【手続補正６】
【補正対象書類名】明細書
【補正対象項目名】００５１
【補正方法】変更
【補正の内容】
【００５１】
代替実施形態では、再利用可能な袋１００は、任意の様々に適した袋の形状に成形され、かつ任意の様々な異なる形状の取っ手を含み得る。例えば、図９ａ及び９ｂは、本開示の原理に一致する一実施形態による再利用可能な袋５００を示している。再利用可能な袋５００は、本明細書に記載の相違点を除いて再利用可能な袋１００と略同様である。図９ａは取っ手５１５を有する完成した再利用可能な袋５００を示しており、図９ｂは取っ手５１５を形成する前の製造段階中の再利用可能な袋５００を示している。再利用可能な袋５００は本体５１０及びこれらの取っ手５１５を含む。図示される実施形態では、本体５１０は前部パネル５２０及び後部パネル５２５（図示せず）を含む材料の略矩形のシートを含む。前部パネル５２０は、前述したように、結合剤のストリップによって底縁部５２６及び側部継ぎ目５２７において後部パネル５２５に取り付けられる。図示される実施形態では、再利用可能な袋５００は上縁部５２８に沿ってシールされない。むしろ、袋５００は上縁部５２８において開口しており、かつ前部パネル５２０は上縁部５２８において後部パネル５２５から離間し得る。
【手続補正７】
【補正対象書類名】明細書
【補正対象項目名】００５４
【補正方法】変更
【補正の内容】
【００５４】
図１０ａ及び１０ｂは、本開示の原理に一致する一実施形態による再利用可能な袋６００を示している。再利用可能な袋６００は、本明細書に記載の相違点を除いて再利用可能な袋１００と略同様である。図１０ａは取っ手６１５を有する完成した再利用可能な袋６００を示しており、図１０ｂは取っ手６１５を形成する前の製造段階中の再利用可能な袋６００を示している。再利用可能な袋６００は本体６１０及びこれらの取っ手６１５を含む。図示される実施形態では、本体５１０は前部パネル６２０及び後部パネル６２５（図示せず）を含む材料の略矩形のシートを含む。前部パネル６２０は底縁部６２６及び側部継ぎ目６２７において後部パネル６２５に取り付けられる。いくつかの実施形態では、袋６００は底縁部６２６及び／又は側部継ぎ目６２７においてガセットを含み得る。図示される実施形態では、再利用可能な袋６００は上縁部６２８に沿ってシールされない。むしろ、袋６００は上縁部６２８において開口しており、かつ前部パネル６２０は上縁部６２８において後部パネル６２５から離間し得る。図示される実施形態では、上縁部６２８は湾曲した縁部を含む。
【手続補正８】
【補正対象書類名】明細書
【補正対象項目名】００５５
【補正方法】変更
【補正の内容】
【００５５】
図示される実施形態では、取っ手６１５は本体６１０を形成する材料２０５の切り取り部を含む。図１０ａは袋６００の後部パネル６２５を示していないが、袋６００は前部パネル６２０及び後部パネル６２５の両方に切り取り特徴又は取っ手６１５を含むことを理解されたい。一例では、図１０ｂに示されるように、取っ手６１５は、前部パネル６２０及び後部パネル６２５（図１０ａ又は１０ｂに示さず）の両方から点線６３５で輪郭が描かれた形状６３０を打抜くことによって形成される。一例では、再利用可能な袋６００の上縁部６２８は、本体６１０の前部パネル６２０及び後部パネル６２５の両方を点線６３６に沿って切断することによって形成され得る。いくつかの実施形態では、取っ手６１５及び上縁部６２８は、前部パネル６２０及び後部パネル６２５が側部継ぎ目６２７及び／又は底縁部６２６に沿って互いに接合した後に形成される。他の実施形態では、取っ手６１５及び／又は上縁部６２８は、製造プロセスの異なる段階で形成され得る。再利用可能な袋６００は、再利用可能な袋６００の長手方向軸又は重量−負荷軸ＬＡが材料２０５の機械方向に垂直である（例えば、再利用可能な袋６００の長手方向軸又は重量−負荷軸ＬＡが材料２０５の横方向に平行である）ように形成され得ることに留意することが重要である。
【手続補正９】
【補正対象書類名】明細書
【補正対象項目名】００６５
【補正方法】変更
【補正の内容】
【００６５】
当業者は、本開示に包含される実施形態は上述の特定の例示的な実施形態に限定されないことを理解するであろう。その点で、例示的な実施形態を示し、かつ説明してきたが、広範囲の修正、変更及び置換が先の開示において想到される。このような変形は、本開示の範囲から逸脱することなく、上記の記載においてなされ得ることが理解される。したがって、添付の特許請求の範囲は、広く、かつ本開示と一致した形で解釈されることが適当である。
本発明は一側面において以下の発明を包含する。
（発明１）
第１分解温度、及び吸収水重量と袋重量が少なくとも２：１である吸収比を有する第１材料と、
前記第１分解温度よりも低い第２分解温度を有する第２材料と、
を含む可撓性で弾性的に変形可能な本体、
を含む再利用可能な多目的袋であって、
前記第１材料は前部パネル及び後部パネルを形成し、前記前部パネルは前記後部パネルに隣接して配置されて、それらの間で空洞が定義され、
前記前部パネルの少なくとも一部は前記第２材料によって前記後部パネルの少なくとも一部に結合される、再利用可能な多目的袋。
（発明２）
発明１に記載の再利用可能な多目的袋であって、前記第２材料は前記前部パネルの少なくとも一部と前記後部パネルの少なくとも一部との間に配置されて、前記前部パネルと前記後部パネルとをシールする、再利用可能な多目的袋。
（発明３）
発明１に記載の再利用可能な多目的袋であって、さらに、上縁部から下縁部に伸びる長手方向軸を含み、該長手方向軸は前記第１材料の機械方向に略平行である、再利用可能な多目的袋。
（発明４）
発明１に記載の再利用可能な多目的袋であって、前記第２材料は前記第１材料上で溶融し、かつ硬化することで、前記前部パネルの少なくとも一部と前記後部パネルの少なくとも一部とを結合させる、再利用可能な多目的袋。
（発明５）
発明１に記載の再利用可能な多目的袋であって、前記第１材料は不織繊維材料を含む、再利用可能な多目的袋。
（発明６）
発明５に記載の再利用可能な多目的袋であって、前記第１材料はポリマー繊維及びパルプ繊維の混合物を含む、再利用可能な多目的袋。
（発明７）
発明６に記載の再利用可能な多目的袋であって、前記第１材料中の前記ポリマー繊維と前記パルプ繊維との比率は約５：７である、再利用可能な多目的袋。
（発明８）
発明１に記載の再利用可能な多目的袋であって、前記第１材料は１平方メートル当たり少なくとも５０グラムの重量を有する、再利用可能な多目的袋。
（発明９）
発明１に記載の再利用可能な多目的袋であって、さらに取っ手を含み、該取っ手は前記前部パネル及び前記後部パネルの少なくとも一方に切り取り特徴部分として形成される、再利用可能な多目的袋。
（発明１０）
発明１に記載の再利用可能な多目的袋であって、長手方向に方向付けされた側部継ぎ目に沿った前記前部パネルと前記後部パネルとの連結によって形成される少なくとも１つの側壁をさらに含む、再利用可能な多目的袋。
（発明１１）
発明１０に記載の再利用可能な多目的袋であって、さらに取っ手を含み、該取っ手は前記少なくとも１つの側壁を通過する隙間として形成される、再利用可能な多目的袋。
（発明１２）
発明１０に記載の再利用可能な多目的袋であって、前記少なくとも１つの側壁を内側に折り畳むことによって形成されるガセットをさらに含み、前記第２材料は前記ガセット内で前記本体の外面に配置されて前記ガセットをシールする、再利用可能な多目的袋。
（発明１３）
発明１に記載の再利用可能な多目的袋であって、前記第１材料に適用され、かつオーバープリントワニスで被覆されるインク付けされたデザインをさらに含む、再利用可能な多目的袋。
（発明１４）
発明１に記載の再利用可能な多目的袋であって、さらに前記第１材料に適用される抗菌剤を含む、再利用可能な多目的袋。
（発明１５）
吸収水重量と袋重量が少なくとも２：１である吸収比を有する不織繊維材料から形成された可撓性で弾性的に変形可能な本体であって、
第１上縁部及び第１下縁部を含む前部パネルと、
第２上縁部及び第２下縁部を含む後部パネルと、
前記第１上縁部から前記第１下縁部に伸びる長手方向軸と、を含む本体と、
前記第１上縁部と前記第２上縁部との間の開口部と、
前記本体に配置される取っ手と、
を含む再利用可能な多目的袋であって、
前記前部パネルと前記後部パネルとの間に適用される結合剤によって前記前部パネルは前記後部パネルに連結されて、それらの間で空洞が定義され、前記結合剤は前記不織繊維材料とは異なり、
前記開口部は前記空洞と連通し、
前記繊維材料はポリマー繊維及びパルプ繊維の不織混合物を含む、再利用可能な多目的袋。
（発明１６）
発明１５に記載の再利用可能な多目的袋であって、前記結合剤は前記不織繊維材料よりも低い分解温度を有し、かつ前記結合剤は前記不織繊維材料上で溶融し、かつ硬化することで、前記前部パネルの少なくとも一部と前記後部パネルの少なくとも一部とを結合させる、再利用可能な多目的袋。
（発明１７）
発明１５に記載の再利用可能な多目的袋であって、前記不織繊維材料はポリマー繊維及びパルプ繊維の混合物を含む、再利用可能な多目的袋。
（発明１８）
発明１５に記載の再利用可能な多目的袋であって、前記本体の前記長手方向軸は前記繊維材料の機械方向に略平行である、再利用可能な多目的袋。
（発明１９）
発明１５に記載の再利用可能な多目的袋であって、前記取っ手は前記第１上縁部及び前記第２上縁部の少なくとも一方を包含し、かつ前記前部パネルが前記後部パネルと長手方向に連結した所に形成される側壁に配置される、再利用可能な多目的袋。
（発明２０）
発明１５に記載の再利用可能な多目的袋であって、前記長手方向軸に沿った前記前部パネル及び前記後部パネルの連結及び折り畳みによって形成されるガセット側壁をさらに含む、再利用可能な多目的袋。
（発明２１）
発明２０に記載の再利用可能な多目的袋であって、前記結合剤は前記本体の外面に適用されて、前記前部パネルの少なくとも一部と前記後部パネルの少なくとも一部とをシールし、かつ前記ガセット側壁を形成する、再利用可能な多目的袋。
（発明２２）
吸収水重量と袋重量が少なくとも２：１である吸収比を有する不織繊維材料から形成された可撓性で弾性的に変形可能な本体であって、
第１上縁部及び第１下縁部を含む前部パネルと、
第２上縁部及び第２下縁部を含む後部パネルと、を含む本体と、
前記前部パネルと前記後部パネルとの間に配置されて、前記前部パネルと前記後部パネルとをシールする結合剤と、
前記第１上縁部と前記第２上縁部との間の開口部と、
取っ手と、
前記第１上縁部から前記第１下縁部に伸びる長手方向軸と、
を含む再利用可能な多目的袋であって、
前記前部パネルは前記後部パネルに連結されて、それらの間で空洞が定義され、
前記結合剤は前記不織繊維材料よりも低い分解温度を有し、かつ前記結合剤は前記不織繊維材料上で溶融して前記前部パネルと前記後部パネルとを結合させ、
前記開口部は前記空洞と連通する、再利用可能な多目的袋。
（発明２３）
発明２２に記載の再利用可能な多目的袋であって、さらに前記本体に形成されるガセットを含み、前記結合剤は前記本体の外面に配置されて、前記前部パネルの少なくとも一部と前記後部パネルの少なくとも一部とをシールし、前記ガセットを形成する、再利用可能な多目的袋。
（発明２４）
発明２２に記載の再利用可能な多目的袋であって、前記本体の前記長手方向軸は前記不織繊維材料の機械方向に略平行である、再利用可能な多目的袋。
（発明２５）
発明２２に記載の再利用可能な多目的袋であって、前記袋は、前記不織繊維材料において３センチメートル以上の裂け目が生じることなく、少なくとも２１，８７５フィート（約６６６７．６メートル）の距離にわたって少なくとも２２ポンドの重量を運搬するのに十分な材料強度を有する、再利用可能な多目的袋。
（発明２６）
不織繊維材料から形成された可撓性で弾性的に変形可能な本体であって、
第１上縁部及び第１下縁部を含む前部パネルと、
第２上縁部及び第２下縁部を含む後部パネルと、
結合剤と、
前記第１上縁部から前記第１下縁部に伸びる長手方向軸と、を含む本体と、
前記第１上縁部と前記第２上縁部との間の開口部と、
前記本体に配置され、かつ前記材料の機械方向に平行に前記長手方向軸に沿って前記第１及び第２の下縁部から離間した取っ手と、
を含む再利用可能な多目的袋であって、
前記前部パネルは前記後部パネルに連結されて、それらの間で空洞が定義され、
前記結合剤は前記前部パネルと前記後部パネルとの間に適用されて、前記前部パネルと前記後部パネルとをシールし、前記結合剤は前記不織繊維材料よりも低い分解温度を有し、
前記開口部は前記空洞と連通し、
前記取っ手は前記第１上縁部及び前記第２上縁部の少なくとも一方を包含し、かつ前記前部パネルが前記後部パネルと長手方向に連結した所に隣接して形成される側壁に配置される、再利用可能な多目的袋。
（発明２７）
発明２６に記載の再利用可能な多目的袋であって、前記不織繊維材料は吸収水重量と袋重量が少なくとも２：１である吸収比を有する、再利用可能な多目的袋。
（発明２８）
発明２６に記載の再利用可能な多目的袋であって、前記結合剤は前記袋の前記長手方向軸に略平行である長手方向のストリップで前記前部パネルと前記後部パネルとの間に配置されて、側部継ぎ目を形成する、再利用可能な多目的袋。
（発明２９）
発明２８に記載の再利用可能な多目的袋であって、前記結合剤は前記袋の前記長手方向軸に略垂直である長手方向のストリップで前記第１上縁部と前記第２上縁部との間に配置される、再利用可能な多目的袋。
（発明３０）
発明２９に記載の再利用可能な多目的袋であって、さらに前記本体にガセットを含み、前記結合剤は前記本体の外面に配置されて、前記前部パネルの少なくとも一部と前記後部パネルの少なくとも一部とをシールし、前記ガセットを形成する、再利用可能な多目的袋。